【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
HDR画像を符号化する方法であって：
SDR画像を取得するように、HDR画像をマッピングすること；
カラー補正パラメータを決定すること；
前記カラー補正パラメータに応じて前記SDR画像をカラー補正すること；
ストリームにおけるカラー補正されたSDR画像を符号化すること；
を有し、前記カラー補正パラメータを決定することは、
前記HDR画像と中間SDR画像との間で少なくとも1つのカラー外観値が維持されるように、中間SDR画像を決定すること；及び
前記中間SDR画像及び前記SDR画像から前記カラー補正パラメータを決定すること；
を含むことを特徴とする方法。
【請求項２】
前記カラー外観値は色相又は彩度である、請求項1に記載の方法。
【請求項３】
色相が維持されるように中間SDR画像を決定することが、現在のピクセルについて：
取得したSDR画像において、前記現在のピクセルのSDR輝度値を線形化すること；
前記HDR画像から、対応する線形化されたHDR輝度値を取得すること；
線形化されたSDR及びHDR輝度値を関連付ける比率を決定すること；
アクセスされたHDR画像及び前記比率から線形なSDRRGB値を決定すること；
決定された線形なSDRRGB値から非線形クロマ値を決定することであって、前記現在のピクセルの中間SDR画像の輝度値は、取得したSDR画像の輝度値に等しく設定される、こと；
を含む、請求項1又は2に記載の方法。
【請求項４】
前記中間SDR画像及び前記SDR画像から前記カラー補正パラメータを決定することが、カラー補正されたSDR画像のクロマ成分と、考察されるルマサブレンジ内の前記中間SDR画像の対応するクロマ成分との間の隔たりを最小化することを含む、請求項1ないし3のうち何れか一項に記載の方法。
【請求項５】
前記カラー補正パラメータに応じて前記SDR画像をカラー補正することが、前記SDR画像のカラー成分の各々を、カラー補正パラメータで除算することを含む、請求項1ないし4のうち何れか一項に記載の方法。
【請求項６】
HDR画像にアクセスするための通信インターフェースと少なくとも1つのプロセッサとを有する符号化装置であって、前記プロセッサは：
SDR画像を取得するように、HDR画像をマッピングし；
カラー補正パラメータを決定し；
前記カラー補正パラメータに応じて前記SDR画像をカラー補正し；
ストリームにおけるカラー補正されたSDR画像を符号化する；
ように構成されており、前記カラー補正パラメータを決定することは、
前記HDR画像と中間SDR画像との間で少なくとも1つのカラー外観値が維持されるように、中間SDR画像を決定すること；及び
前記中間SDR画像及び前記SDR画像から前記カラー補正パラメータを決定すること；
を含むことを特徴とする符号化装置。
【請求項７】
前記カラー外観値は色相又は彩度である、請求項6に記載の符号化装置。
【請求項８】
前記カラー外観値が維持されるように中間SDR画像を決定することが、現在のピクセルについて：
取得したSDR画像において、前記現在のピクセルのSDR輝度値を線形化すること；
前記HDR画像から、対応する線形化されたHDR輝度値を取得すること；
線形化されたSDR及びHDR輝度値を関連付ける比率を決定すること；
アクセスされたHDR画像及び前記比率から線形なSDRRGB値を決定すること；
決定された線形なSDRRGB値から非線形クロマ値を決定することであって、前記現在のピクセルの中間SDR画像の輝度値は、取得したSDR画像の輝度値に等しく設定される、こと；
を含む、請求項6又は7に記載の符号化装置。
【請求項９】
前記中間SDR画像及び前記SDR画像から前記カラー補正パラメータを決定することが、カラー補正されたSDR画像のクロマ成分と、考察されるルマサブレンジ内の前記中間SDR画像の対応するクロマ成分との間の隔たりを最小化することを含む、請求項6ないし8のうち何れか一項に記載の符号化装置。
【請求項１０】
前記カラー補正パラメータに応じて前記SDR画像をカラー補正することが、前記SDR画像のカラー成分の各々を、カラー補正パラメータで除算することを含む、請求項6ないし9のうち何れか一項に記載の符号化装置。
【請求項１１】
非一時的なコンピュータ読み取り可能な媒体であって、前記媒体に保存された命令は、実行されると、少なくとも1つのプロセッサに：
SDR画像を取得するように、HDR画像をマッピングし；
カラー補正パラメータを決定し；
前記カラー補正パラメータに応じて前記SDR画像をカラー補正し；
ストリームにおけるカラー補正されたSDR画像を符号化する；
ように命令し、前記カラー補正パラメータを決定することは、
前記HDR画像と中間SDR画像との間で少なくとも1つのカラー外観値が維持されるように、中間SDR画像を決定すること；及び
前記中間SDR画像及び前記SDR画像から前記カラー補正パラメータを決定すること；
を含むことを特徴とする非一時的なコンピュータ読み取り可能な媒体。
【手続補正２】
【補正対象書類名】明細書
【補正対象項目名】００５３
【補正方法】変更
【補正の内容】
【００５３】
以上、多数の実現手段が説明されてきた。それでもなお様々な修正がなされてよいことは理解されるであろう。例えば、異なる実現手段のうちの要素が組み合わせられ、補足され、修正され、或いは、除去され、他の実現手段を提供してもよい。更に、他の構造及びプロセスが本開示のために代用されてもよいこと、及び、その結果の実現手段は、少なくとも実質的に同じ機能を、少なくとも実質的に同じ仕方で実行し、開示された実現手段と少なくとも実質的に同じ結果を達成することを、当業者は理解するであろう。従って、これら及び他の実現手段も本願により想定されている。
上述の実施形態の一部又は全部は、以下の付記のように記載され得るが、以下には限定されない。
（付記１）
HDR画像を符号化する方法であって：
SDR画像を取得するように、HDR画像をマッピングするステップ；
カラー補正パラメータを決定するステップ；
カラー補正パラメータに応じてSDR画像をカラー補正するステップ；
ストリームにおけるカラー補正されたSDR画像を符号化するステップ；
を有し、カラー補正パラメータを決定することは、
HDR画像と中間SDR画像との間で少なくとも1つのカラー外観値が維持されるように、中間SDR画像を決定すること；及び
中間SDR画像及びSDR画像からカラー補正パラメータを決定すること；
を含むことを特徴とする方法。
（付記２）
カラー外観値は色相又は彩度である、付記１に記載の方法。
（付記３）
色相が維持されるように中間SDR画像を決定することが、現在のピクセルについて：
取得したSDR画像において、現在のピクセルのSDR輝度値を線形化すること；
HDR画像から、対応する線形化されたHDR輝度値を取得すること；
線形化されたSDR及びHDR輝度値を関連付ける比率を決定すること；
アクセスされたHDR画像及び比率から線形なSDRRGB値を決定すること；
決定された線形なSDRRGB値から非線形クロマ値を決定することであって、現在のピクセルの中間SDR画像の輝度値は、取得したSDR画像の輝度値に等しく設定される、こと；
を含む、付記１又は２に記載の方法。
（付記４）
中間SDR画像及びSDR画像からカラー補正パラメータを決定することが、カラー補正されたSDR画像のクロマ成分と、考察されるルマサブレンジ内の中間SDR画像の対応するクロマ成分との間の隔たりを最小化することを含む、付記１ないし３のうち何れか一項に記載の方法。
（付記５）
カラー補正パラメータに応じてSDR画像をカラー補正することが、SDR画像のカラー成分の各々を、カラー補正パラメータで除算することを含む、付記１ないし４のうち何れか一項に記載の方法。
（付記６）
HDR画像にアクセスするための通信インターフェースと少なくとも1つのプロセッサとを有する符号化装置であって、プロセッサは：
SDR画像を取得するように、HDR画像をマッピングし；
カラー補正パラメータを決定し；
カラー補正パラメータに応じてSDR画像をカラー補正し；
ストリームにおけるカラー補正されたSDR画像を符号化する；
ように構成されており、カラー補正パラメータを決定することは、
HDR画像と中間SDR画像との間で少なくとも1つのカラー外観値が維持されるように、中間SDR画像を決定すること；及び
中間SDR画像及びSDR画像からカラー補正パラメータを決定すること；
を含むことを特徴とする符号化装置。
（付記７）
カラー外観値は色相又は彩度である、付記６に記載の符号化装置。
（付記８）
カラー外観値が維持されるように中間SDR画像を決定することが、現在のピクセルについて：
取得したSDR画像において、現在のピクセルのSDR輝度値を線形化すること；
HDR画像から、対応する線形化されたHDR輝度値を取得すること；
線形化されたSDR及びHDR輝度値を関連付ける比率を決定すること；
アクセスされたHDR画像及び比率から線形なSDRRGB値を決定すること；
決定された線形なSDRRGB値から非線形クロマ値を決定することであって、現在のピクセルの中間SDR画像の輝度値は、取得したSDR画像の輝度値に等しく設定される、こと；
を含む、付記６又は７に記載の符号化装置。
（付記９）
中間SDR画像及びSDR画像からカラー補正パラメータを決定することが、カラー補正されたSDR画像のクロマ成分と、考察されるルマサブレンジ内の中間SDR画像の対応するクロマ成分との間の隔たりを最小化することを含む、付記６ないし８のうち何れか一項に記載の符号化装置。
（付記１０）
カラー補正パラメータに応じてSDR画像をカラー補正することが、SDR画像のカラー成分の各々を、カラー補正パラメータで除算することを含む、付記６ないし９のうち何れか一項に記載の符号化装置。
（付記１１）
非一時的なコンピュータ読み取り可能な媒体であって、媒体に保存された命令は、実行されると、少なくとも1つのプロセッサに：
SDR画像を取得するように、HDR画像をマッピングし；
カラー補正パラメータを決定し；
カラー補正パラメータに応じてSDR画像をカラー補正し；
ストリームにおけるカラー補正されたSDR画像を符号化する；
ように命令し、カラー補正パラメータを決定することは、
HDR画像と中間SDR画像との間で少なくとも1つのカラー外観値が維持されるように、中間SDR画像を決定すること；及び
中間SDR画像及びSDR画像からカラー補正パラメータを決定すること；
を含むことを特徴とする非一時的なコンピュータ読み取り可能な媒体。